(57)【特許請求の範囲】
【請求項１】
キーボード出力信号を送信部から空中に放射するため、又はこの放射をするため及び空中に放射されたキーボード入力信号を受信部で受信するためのアンテナ線を備え、かつ少なくともキーボード長手方向に沿う方向に導電性を有する板体がキーボード筐体内に配置固定されたワイヤレスキーボードにおいて、
前記板体の導電性を有するキーボード長手方向に沿う部分を、前記アンテナ線の一部として用いて、導電線と接続して前記アンテナ線を構成することを特徴とするワイヤレスキーボード。
【請求項２】
板体は、導電性金属板からなり、ほぼキー配列領域に対応した形状に形成されてキー配列構造体をそのキーボード筐体底面側にて支持する支持板であることを特徴とする請求項１に記載のワイヤレスキーボード。
【発明の詳細な説明】
【０００１】
【発明の属する技術分野】
本発明は、パーソナルコンピュータ（以下、パソコンと略称する。）、ワークステーションあるいはワードプロセッサ等の入力装置として使用されるキーボード、特にワイヤレスキーボードに関するものである。
【０００２】
【従来の技術】
キーボードは、文字、数字あるいは記号等を電子機器、特にパソコン等の情報処理機器（以下、便宜上、パソコン本体という。）に入力する装置として極めて一般的に使用されている。
【０００３】
このようなキーボードは、通常、ケーブルを介してパソコン本体と接続されるが、パソコン本体にはこのキーボードの他、マウス等のポインティングデバイスを筆頭として種々の周辺機器が接続され、その接続のためのケーブルが錯綜することも少なくなく、机上の作業の障害となることもしばしばである。
【０００４】
そこで最近は、パソコン本体に接続される周辺機器のワイヤレス（ケーブルレス）化が図られて来ているが、中でもキーボードはパソコン本体との接続がほとんどの場合に必須となるので、キーボードのワイヤレス化は特に有効である。
【０００５】
このワイヤレス化されたキーボードをワイヤレスキーボードというが、これは、キーボード出力信号の送信部（キーボードからパソコン本体への一方向通信の場合）とアンテナ線とが付加されている点で通常のキーボードとは異なる。
【０００６】
ここで、上記アンテナ線は、キーボード出力信号を送信部から空中に放射させるために必須であるが、従来、ワイヤレスキーボードにおいては図２に示すようにキーボード筐体内に配置されている。
【０００７】
すなわちアンテナ線２２は、両端が送信部２３の出力端に接続され、中間部がキーボード奥側のファンクションキー等(図示せず)が直線状に配列されている箇所近傍に、同配列に沿った方向、すなわちキーボード筐体２１内の長手方向（図中左右方向）に、ループ状に引き回された状態で収納、配置されている。なお、図２中、２点鎖線で示す領域２４はキー配列領域を示す。
【０００８】
このようなアンテナ線２２の配置構成は次の理由による。
キーボードは、マウス等のポインティングデバイス(図示せず)とは異なり、電力消費が大きく、したがってそのワイヤレス化、換言すれば電池電源化に当たっては電力消費を極力小さくすることが要求される。
【０００９】
そこで、アンテナの低損失化が図られる。アンテナから低損失で電波を放射するには、アンテナ長を例えば効率のよい共振する波長に設定したり、より短くしたい場合には短縮回路を挿入する等、アンテナマッチングを図ればよい。
【００１０】
したがって実際には、図２に示すように、アンテナ線２２を、キーボード筐体２１内ではアンテナ長を最大にとれるキーボード筐体長手方向にループ状に引き回している。
【００１１】
【発明が解決しようとする課題】
しかしながら上述従来のワイヤレスキーボードでは、そのアンテナ線２２の引回しに手間がかかった。特に、アンテナ線２２としてビニール等の絶縁被覆を施した導電線を用いる場合には、被覆の捩れやくせ等がループ全体に生じ、その位置決めの邪魔をするため手間がかかった。
【００１２】
このことは、一旦適切な間隔ｗをとって位置決めしても、出荷するまでの間や出荷してからも、キーボード筐体２１に衝撃を与える等でアンテナ線２２のループが変形あるいは移動して間隔ｗが狭まったり、部分的になくなったりすることをも意味する。
【００１３】
そこで従来から、アンテナ線引回しの手間の軽減と、上記間隔ｗの保持についての改善が要望されていた。
【００１４】
本発明は、上記のような要望に鑑みなされたもので、アンテナ線引回しの手間が軽減されると共に線相互間隔ｗの保持も容易に可能なワイヤレスキーボードを提供することを目的とする。
【００１５】
【課題を解決するための手段】
上記目的を達成するために、請求項１に記載の発明は、キーボード出力信号を送信部から空中に放射するため、又はこの放射をするため及び空中に放射されたキーボード入力信号を受信部で受信するためのアンテナ線を備え、かつ少なくともキーボード長手方向に沿う方向に導電性を有する板体がキーボード筐体内に配置固定されたワイヤレスキーボードにおいて、前記板体の導電性を有するキーボード長手方向に沿う部分を、前記アンテナ線の一部として用いて、導電線と接続して前記アンテナ線を構成することを特徴とする。
【００１６】
請求項２に記載の発明は、請求項１に記載の発明において、板体は、導電性金属板からなり、ほぼキー配列領域に対応した形状に形成されてキー配列構造体をそのキーボード筐体底面側にて支持する支持板であることを特徴とする。
【００１７】
請求項１に記載の発明では、キーボード筐体内に配置固定された板体の、キーボード長手方向に沿う方向に導電性部分がアンテナ線の一部として用いられている。すなわち、アンテナ線のループの往路（又は復路）はキーボード筐体内に固定状態にある板体の一部が代用されるもので、そこでの捩れ、くせ、変形あるいは移動は生じ得ない。
【００１８】
したがって、導電線からなるアンテナ線部分であるループの復路（又は往路）のみに注意を払ってアンテナ線を引き回せばよく、アンテナ線引回しの手間は大幅に軽減される。
またこのことは、アンテナ線のループ中間部における線相互間隔ｗを大きくとることにも役立つ。
【００１９】
請求項２に記載の発明では、キー配列構造体をそのキーボード筐体底面側にて支持する導電性金属板からなる支持板の、キーボード長手方向に沿う方向がアンテナ線の一部として用いられる。
このような支持板は、キー配列構造体を支持する他、キーボード筐体の補強、静電対策あるいは電磁シールド等を目的として多くのキーボードに内蔵されており、アンテナ線引回しの手間の軽減及び上記間隔ｗの保持だけのために特別な板体を用意し、組込む必要はなくなる。
【００２０】
【発明の実施の形態】
以下、本発明の実施の形態を図面に基づき説明する。
図１は本発明によるワイヤレスキーボードの一実施形態の概略を分解して示す平面図である。
図示するように、キーボード筐体１１は底面側筐体部１１ａと上面側筐体部１１ｂとで主構成をなし、その底面側筐体部１１ａの内方には支持板１２が配置固定されている。この支持板１２は、導電性金属板、ここでは鉄板が、ほぼキー配列領域１３に対応した形状に形成されてなるもので、キー配列構造体１４を、その下方（底面側筐体部１１ａ側）、対向位置にて支持する。支持板１２は、合成樹脂成形品であるキーボード筐体１１の補強、静電対策及び電磁シールドをも目的としている。
【００２１】
図中、矢印イ，ロは、底面側筐体部１１ａの内方上面にキー配列構造体１４が載置収納され、その上方から上面側筐体部１１ｂがそれらを被うようにして底面側筐体部１１ａに組み付けられることを表している。
【００２２】
上記キー配列構造体１４は、文字、数字あるいは記号等に対応して所定位置に配置された複数のキー（キー群）及び各キーの押圧操作によりオンするスイッチ（スイッチ群）とを備えてなるものである。
【００２３】
上記底面側筐体部１１ａの内方の、ファンクションキー等が直線状に配列されているキー列領域１４ａの右隅部に対応する箇所には、各キーの押圧に対応したキーボード出力信号を生成するコントローラ部１５及び生成されたキーボード出力信号が入力される送信部１６が取付固定されている。
【００２４】
また、底面側筐体部１１ａの適宜箇所には、上記コントローラ１５及び送信部１６に直流電源を供給する電池(図示せず)の格納部１７が、底面側筐体部裏面側から電池を着脱可能に形成されている。
【００２５】
上記送信部１６には、キーボード出力信号（高周波信号）を空中に放射するためのアンテナ線１８が接続されている。
ここでアンテナ線１８は、絶縁被覆を施した導電線等からなるアンテナ線部１８ａと上記支持板１２の導電性を利用したアンテナ線代用部１８ｂとからなる。
【００２６】
このうちアンテナ線部１８ａは、一端が上記送信部１６の一方の出力端に、他端がアンテナ代用部１８ｂの一端、具体的には上記支持板１２の上端側（キーボード奥側に相当する側）の左端部に、各々接続されている。そして、アンテナ代用部１８ｂの他端、具体的には支持板１２の上記上端側の右端部は導電線１９を介して上記送信部１６の他方の出力端に接続されている。
【００２７】
すなわち本発明では、キーボード筐体１１内に配置固定された板体の導電性を有するキーボード長手方向に沿う部分、ここでは支持板１２の上端側部分をアンテナ線１８の一部として用いたものである。
【００２８】
これによれば、アンテナ線１８のループの往路又は復路が、キーボード筐体１１内に固定状態にある板体の導電性部分で代用、ここでは、復路が底面側筐体部１１ａ内方に配置固定された（キー配列構造体１４をそのキーボード筐体底面側にて支持する）支持板１２の上端側部分で代用されるので、その部分での捩れ、くせ、変形あるいは移動は生じ得ない。
【００２９】
したがって、導電線からなるアンテナ線部１８ａであるループの往路（又は復路）のみに注意を払ってアンテナ線１８を引き回せばよく、アンテナ線引回しの手間は大幅に軽減される。
【００３０】
またこのことは、アンテナ線１８のループ中間部における線相互間隔ｗを大きくとることにも役立つ。
すなわち、アンテナ線１８のループの復路（又は往路）が支持板１２のような固形物で、かつ固定状態にあるものの場合には、その部分は動きの自由量が全くなく、変形や撓みが生じない。そして、ループの載置面上での動きが生じ得るのは往路（又は復路）のみであり、往復路共に動きが生じ得る場合に比べ、往復路相互の変形、撓みが重畳しない分、全体の変形、撓みは単純計算で得られる１／２よりも更に少ない量となるからである。
【００３１】
上記ループの動きとは、ループ載置面方向での動きを指している。導電線からなるアンテナ線部１８ａであるループの往路（又は復路）の上下方向の動きは、そのループ部分上方を上面側筐体部１１ｂが被って底面側筐体部１１ａに組み付けられることで阻止される。
【００３２】
上述したような理由で間隔ｗを大きくとれることは、一旦適切な間隔ｗをとって位置決めした後、出荷するまでの間や出荷してから、キーボード筐体１１に衝撃が与えられた場合の、アンテナ線１８のループ変形あるいは移動による間隔ｗの狭まり等が生じ難くなることをも意味する。
【００３３】
なお上述した実施形態では、キーボード側からパソコン本体側への信号の送信（一方向通信）のみについて説明したが、本発明はこれのみに限定されることはなく、キーボード及びパソコン本体の双方側において信号の送受信（双方向通信）を行うようにしてもよい。この場合には、上記送信部１６に代えて送受信部(図示せず)が設けられる。アンテナ線１８は上述した実施形態で述べたものが送受信に共用される。いずれにしても、パソコン本体側（パソコン本体のキーボード端子）には、上記送信部又は送受信部と通信する上で対をなす受信部又は受送信部が接続される。
【００３４】
【発明の効果】
以上述べたように本発明によれば、アンテナ線のループの復路（又は往路）を、キーボード筐体内に固定状態にある板体の一部で代用するようにしたので、そこでの捩れ、変形あるいは移動等は生じ得ず、したがって、導電線からなるアンテナ線部分であるループの往路（又は復路）のみに注意を払ってアンテナ線を引き回せばよくなり、アンテナ線引回しの手間は大幅に軽減され、また、アンテナ線のループ中間部における線相互間隔ｗを大きくとることができるという効果がある。
【００３５】
板体として既存の導電性金属板からなる支持板を用いれば、アンテナ線引回しの手間の軽減及び上記間隔ｗの保持だけのために特別な板体を用意し、組込む必要はなくなり、部品の製作及び組立て上のコスト低減も図れる。
【図面の簡単な説明】
【図１】本発明によるワイヤレスキーボードの一実施形態の概略を分解して示す平面図である。
【図２】従来のワイヤレスキーボードの要部を示す平面図である。
【符号の説明】
１１  キーボード筐体
１２  支持板（板体）
１３  キー配列領域
１４  キー配列構造体
１６  送信部
１８  アンテナ線
【図１】
0004232066.tif 000002
【図２】
0004232066.tif 000003